(57)【要約】      （修正有）【課題】二つの折り畳み機構を有するレンズ送出システムを提供する。【解決手段】第一機構は、眼内レンズ安定化リングを折り畳むように構成され、かつ第二機構は眼内レンズ送りシステムを折り畳むように設計されている。多構成要素眼内レンズのレンズ部３０は、レンズ折り畳み台２４内に設置されかつ輸送ロック１８上にストッパによって、レンズ折り畳み台２４上にレンズ折り畳み台蓋３４を折り畳むことにより固定される。蓋３４は、留め金３８により折り畳んだ位置において適所に保持される。【選択図】図２
2008068071.tif 000002
【特許請求の範囲】
【請求項１】
イ）多構成要素眼内レンズの構成要素を受ける寸法および形状を有する第一台および第二台を有する本体、
ロ）第一台および第二台をそれぞれ被覆する第一蓋および第二蓋、
ハ）ノズル部が取外し自在の蓋を有する、前記本体の先端上のノズル、
ニ）第一台に連結されかつ第一台内で往復運動するように構成されたリングプッシャ、
ホ）第二台に連結されたプランジャ、および
ヘ）前記リングプッシャの運動を阻止するための取外し自在の輸送ロックを含む、眼内レンズ送出システム。
【請求項２】
前記リングプッシャは前記プランジャの運動を阻止するタブを含む、請求項１の眼内レンズ送出システム。
【請求項３】
前記プランジャはガイド棒を更に含む、請求項１の眼内レンズ送出システム。
【請求項４】
前記本体を受ける切欠きを有するハンドピースを更に含む、請求項１の眼内レンズ送出システム。
【請求項５】
前記ハンドピースは、前記本体が前記ハンドピースの切欠き内に設置されるときに前記プランジャの運動を可能にするバンパを更に含む、請求項４の眼内レンズ送出システム。
【請求項６】
前記本体を受けるためのプランジャ棒および切欠きを有するハンドピースを更に含む、請求項３の眼内レンズ送出システム。
【請求項７】
前記プランジャ棒は、前記本体が前記切欠き内に設置されかつ前記プランジャ棒が前記ハンドピースへ前進するときに、前記ガイド棒へ伸長する、請求項６の眼内レンズ送出システム。
【請求項８】
イ）多構成要素眼内レンズの構成要素を受ける寸法および形状を有する第一台および第二台を有する本体、
ロ）第一台および第二台をそれぞれ被覆する第一蓋および第二蓋、
ハ）ノズル部が取外し自在の蓋を有する、前記本体の先端上のノズル、
ニ）タブを含みかつ第一台に連結されかつ第一台内で往復運動するように構成されたリングプッシャ、
ホ）第二台に連結されたガイド棒を有するプランジャ、および
ヘ）前記リングプッシャの運動を阻止するための取外し自在の輸送ロックを含む、眼内レンズ送出システム。
【請求項９】
前記本体を受ける切欠きを有するハンドピースを更に含む、請求項８の眼内レンズ送出システム。
【請求項１０】
前記ハンドピースは、前記本体が前記ハンドピースの切欠き内に設置されるときに前記プランジャの運動を可能にするバンパを更に含む、請求項９の眼内レンズ送出システム。
【請求項１１】
前記本体を受けるためのプランジャ棒および切欠きを有するハンドピースを更に含む、請求項８の眼内レンズ送出システム。
【請求項１２】
前記プランジャ棒は、前記本体が前記切欠き内に設置されかつ前記プランジャ棒が前記ハンドピースへ前進するときに、前記ガイド棒へ伸長する、請求項１１の眼内レンズ送出システム。
【請求項１３】
前記輸送ロックは第二台内に収容された眼内レンズシステムのレンズ部の移動の阻止を補助するためのストッパを有する、請求項８の眼内レンズ送出システム。
【発明の詳細な説明】
【技術分野】
【０００１】
本発明は眼内レンズ（ＩＯＬｓ）、更に具体的には目の中へＩＯＬｓを導入するために使用する装置に関する。
【背景技術】
【０００２】
最も簡単な用語として人間の目は、角膜と呼ばれる透明な外部を介して光を透過しかつ屈折し、かつ水晶体により目の後部で網膜上に結像することにより視界を提供する作用をする。結像の質は、目の寸法、形状および長さを含む多くのファクタ、および角膜および水晶体の形状および透明度に依存する。
【０００３】
外傷、年齢、または病気に起因して水晶体の透明度が低下すると、網膜に透過される光の減少により視力は衰える。目の水晶体のかかる欠陥は、医学的に白内障として知られている。この状態の処置は、水晶体の外科的除去、および人工水晶体またはＩＯＬの移植である。
【０００４】
初期ＩＯＬｓは、ポリメチルメタクリレート（PMMA)等の硬質プラスチックで形成されているが、シリコーン、軟質アクリル樹脂、およびハイドロゲルから形成された軟質の折り畳み可能ＩＯＬｓはソフトレンズを折り畳みまたは巻回して小さい切開へ挿入できる能力から広く普及している。レンズを巻くまたは折り畳む幾つかの方法が採用されている。一普及方法は、レンズを折り畳み、かつ通常はフソトチッププランジャにより、レンズを目へ押し込むことのできる比較的小さい直径の管孔を有する導入器カートリッジを使用する。最も一般的に使用されている導入器カートリッジの設計は、ＵＳＰ４６８１１０２（Bartell)に図解され、かつ長手方向に蝶番留めされた分割カートリッジを含む。同様設計がＵＳＰ５４９４４８４および５４９９９８７(feingold)、５６１６１４８および５６２０４５０(Eagles他）に図解されている。ＵＳＰ４６８１１０２の請求項を回避するために、幾つかのソリッドカートリッジが研究された。例えばＵＳＰ５２７５６０４(Rheinish他）および５６５２３７１５(Reich他)を参照。
【０００５】
それらの装置は、唯一片または複数の単位レンズを移植するように設計されている。現在開発中のＩＯＬは、分離レンズおよび安定化リングを有する一つのレンズシステム等多構成要素レンズを含む。レンズとリングの両構成要素はカプセル状バッグ内に移植されかつそのシステムを完全にするために組立てられなければならない。従来技術による導入カートリッジは、多構成要素レンズシステムの構成要素の全部をカプセル状バッグ内へ導入することはできない。
【０００６】
従って、多構成要素レンズシステムの構成要素の全部をカプセル状バッグ内へ導入することのできるレンズ送出システムに対するニーズが依然として存在している。
【発明の開示】
【０００７】
［発明の概要］
本発明は、二つの折り畳み機構を有するレンズ送出システムを提供することにより従来技術を改善する。第一機構は、眼内レンズ安定化リングを折り畳むように構成され、かつ第二機構は眼内レンズを折り畳むように設計されている。
【０００８】
従って、本発明の課題は、保存、輸送、および付加的装置の使用無しにレンズを目へ送出するのに適したレンズ送出システムを提供することにある。
【０００９】
本発明の他の課題は、軟質アクリル材料から形成されたレンズを折り畳むのに適したレンズ送出システムを提供することにある。
【００１０】
本発明の他の課題は、二つの折り畳み機構を有するレンズ送出システムを提供することにある。
【００１１】
本発明の他の課題、特徴および利点は、添付図面、図面に関する次の説明、および特許請求の範囲の記載を参照することにより理解されるであろう。
【発明を実施するための最良の形態】
【００１２】
図１を参照すると、本発明のレンズ送出システム１０は、概ねカートリッジケース１２、リングプッシャ１４、プランジャ１６、および輸送ロック（shipping lock)１８を含む。カートリッジケース１２は、概ね、先端ノズル２０、開放リング折り畳み台２２、および開放レンズ折り畳み台２４を含む。多構成要素眼内レンズのリング部２６はリング折り畳み台２２内に設置され、かつリングプッシャ１４によりそしてリング台蓋２８をリング折り畳み台２２上に折り畳み、かつ留め金３６により蓋２８を所定位置に保持することにより固定し、それにより図３に示されたようにリング部２６をリング折り畳み台２２内に収容する。多構成要素眼内レンズのレンズ部３０は、レンズ折り畳み台２４内に設置されかつ輸送ロック１８上にストッパ３２によって、図３に示されたように、レンズ折り畳み台２４上にレンズ折り畳み台蓋３４を折り畳むことにより固定される。蓋３４は、留め金３８により折り畳んだ位置において適所に保持される。
【００１３】
ノズル２０は、好適には、内側が中空であり、リング部２６およびレンズ部３０の比較的小さい（例えば２ミリまたはそれ未満のオーダー）切開への挿入に適した寸法を有する。粘着弾性材料のリング折り畳み台２２およびレンズ折り畳み台２４へ、そしてリング部２６およびレンズ部３０のまわりへの導入を可能にするために、蓋２８および３４はそれぞれポート４０および４２を有してよい。
【００１４】
図５および６に最良に示されたように、ハンドピース(handpiece)１００は、管状体１０２、プッシャ棒１０４、およびフィンガリング１０６で概ね構成されるレンズ送出システム１０の一部として使用される。図６に示されたように、管状体１０２の先端は、例えばケース１２上の係止タブ(locking tab)５０の使用により、ケース１２を受けかつ確実に保持する寸法および形状で形成された切欠き部１１０を有する。先端１０８は、更に、バンパ１１２を含み、バンパ１１２は後述の機能を有する。プランジャ棒１０４はフィンガリング１０６を押すことにより管状体１０２内で往復する。プランジャ棒１０４は、触覚フィードバックを提供するためにバネ（図示せず）上で管状体１０２内に取付けられてよい。
【００１５】
使用時に、輸送ロック１８およびプランジャ１６は、図１および２に示された方法で本体１２上に設置される。リング部２６およびレンズ部３０は図２に示されたように本体１２内に設置され、かつ図３に示されたように蓋２８および３４が閉鎖される。輸送ロック１８は運搬中のリングプッシャ１４の移動を阻止し、かつリングプッシャ１４上のタブ６０はプランジャ１６の前方移動を阻止する。ストッパ３２およびプランジャガイド棒７０は運搬時のレンズ部３０の移動を防止する。使用準備時には、輸送ロック１８は取り外され、かつリングプッシャ１４が、図４に示されたように、内方へ付勢され、かつ留め金１９により所定位置に係止される。リングプッシャ１４のかかる移動は、リング部２６を折り曲げまたは折り畳み、リング部２６のノズル２２へのフイットを可能にする。かかる運動は、更に、タブ６０内の切欠き６２とプランジャ１６を整合させ、プランジャ１６の前方移動を可能にする。粘着弾性材料はポート４０および４２から導入される。本体１２は、図８に示されたように、ハンドピース１００の先端１０８の切欠き部１１０内に設置される。かかる設置によりプランジャ棒１６はバンパ１１２と接触しかつそれにより僅かに前方へ押される。かかる運動が、レンズ部３０を僅かに前方へ押し、レンズ部３０の折り畳みを開始する。プランジャ棒１０４はガイド棒によって前進しかつ誘導されてレンズ部３０と接触する。プランジャ棒１０４の続く移動はレンズ部３０を本体１２の内孔８０へ付勢し、圧縮リング部２６と接触させかつリング部２６を押し、続いてレンズ部３０を連続的にノズル２２の外へ押し出す。
【００１６】
本発明の一定の実施形態について説明したが、上記説明は図解を目的としている。上述のシステムおよび方法に基づく種々の改変、変更、改良が本発明の範囲および精神から逸脱することなく採用できる。
【図面の簡単な説明】
【００１７】
【図１】開放位置で示された本発明のレンズ送出システムの分解斜視図である。
【図２】開放位置で示された本発明のレンズ送出システムの斜視図である。
【図３】レンズを折り畳む態勢の、閉鎖位置で示された本発明のレンズ送出システムの斜視図である。
【図４】閉鎖位置で示された本発明のレンズ送出システムの斜視図であり、前または遠位折り畳み機構が眼内レンズシステムの安定化リング部を既に折り畳んだ状態を示す。
【図５】本発明のレンズ送出システムに使用されるハンドピースの側立面図である。
【図６】図５の円６で取ったハンドピースの先端の拡大立面図である。
【図７】本発明のレンズ送出システムに使用できるハンドピースの斜視図である。
【図８】図５のハンドピースの先端へ挿入された本発明のレンズ送出システムの拡大斜視図である。
【図１】
2008068071.tif 000003
【図２】
2008068071.tif 000004
【図３】
2008068071.tif 000005
【図４】
2008068071.tif 000006
【図５】
2008068071.tif 000007
【図６】
2008068071.tif 000008
【図７】
2008068071.tif 000009
【図８】
2008068071.tif 000010
【外国語明細書】
2008068071000001.pdf